(57)【要約】      （修正有）【課題】製作に手間がかからず、収納されたカードの参照が容易に出来るカードホルダーを提供する。【解決手段】カードホルダーシート１の上辺近傍にカード挿入用の第一の切り欠き部３が形成され、カードホルダーシート１の一方の横辺近傍に実質的に下方中央に向かって延びる第二の切り欠き部４が形成されたカードホルダー。【選択図】図１
2014100907.tif 000002
【特許請求の範囲】
【請求項１】
カードホルダーシートの上辺近傍にカード挿入用の第一の切り欠き部が形成され、前記カードホルダーシートの一方の横辺近傍に実質的に下方中央に向かって延びる第二の切り欠き部が形成されたカードホルダー。
【請求項２】
請求項１記載のカードホルダーにおいて、前記カードホルダーシートの前記一方の横辺に対向する他方の横辺近傍に実質的に下方中央に向かって延びる第三の切り欠き部が形成されたカードホルダー。
【請求項３】
請求項１又は請求項２記載のカードホルダーにおいて、前記第一の切り欠き部より前記カードホルダーシートの上辺側又は下辺側にカード挿入用の第四の切り欠きを設けたカードホルダー。
【請求項４】
請求項１乃至請求項３のいずれかに記載されたカードホルダーにおいて、前記カードホルダーシートをカード挿入方向に対して直角方向、または同方向、またはその双方にカードシート連結部で２枚以上連結して蛇腹折りが出来るカードホルダー。
【請求項５】
請求項１乃至請求項４のいずれかに記載されたカードホルダーにおいて、カードホルダーカバー部を前記カードホルダーシートと連結部を介して連結したカードホルダー。
【発明の詳細な説明】
【技術分野】
【０００１】
本発明は、カードホルダーに関する。
【背景技術】
【０００２】
従来から、カード類を並べて収納することや、袋体に個別に入れたものを数枚まとめて持つ機能のあるホルダーは周知である。
【先行技術文献】
【特許文献】
【０００３】
【特許文献１】実用登録３１４９５８１号公報
【０００４】
【特許文献２】特開２００７−１８５９３６号公報
【０００５】
【特許文献３】特公開平５−３３０２８２号公報
【発明の概要】
【発明が解決しようとする課題】
【０００６】
クレジットカード等のカードに代表されるように、クレジットカードのみならず、クレジットカード大のポイントカードが多く発行されることから、カードをたくさん収納出来るホルダーはたくさんある。しかし、収納後のカードから欲しいカードを探そうとすると、実用登録３１４９５８１のように、カードの一部しか見えないので、探すことが困難であるものや、特許公開２００７−１８５９３６のように、ひとつひとつ捲らないと探せないので、取り出しに時間がかかる。
また、クレジットカードを収納する部分と、それを保持するカバーの部分は複雑な構造になり、接着や縫製などが必要になる。
【０００７】
特公開平５−３３０２８２は１枚のシートを畳んでカードを保持するが、シートの一部を溶着せねばならず、作成時に多大な手間がかかる。
【０００８】
本発明は、上記課題を解決して、１枚のシートに切り欠きを設けることでカードを裏表収納出来て、連結することで広げてカードを一望することが出来、畳めば小さく収納可能なカードホルダーを提供することを目的とするものである。
【課題を解決するための手段】
【０００９】
本発明は上記目的を達成させるため、（１）カードホルダーシートの上辺近傍にカード挿入用の第一の切り欠き部が形成され、前記カードホルダーシートの一方の横辺近傍に実質的に下方中央に向かって延びる第二の切り欠き部が形成されたカードホルダーを提供する。
【００１０】
更に、本発明は上記目的を達成させるため、（２）前記カードホルダーシートの横辺に対向する他方の横辺近傍に実質的に下方中央に向かって延びる第三の切り欠き部が形成されたカードホルダーを提供する。
【００１１】
更に本発明は上記目的を達成させるため、（３）（１）又は（２）記載のカードホルダーにおいて、前記第一の切り欠き部より前記カードホルダーシートの上辺側又は下辺側にカード挿入用の第四の切り欠きを設けたカードホルダーを提供する。
【００１２】
更に本発明は上記目的を達成させるため、（４）（１）乃至（３）のいずれかに記載されたカードホルダーにおいて、前記カードホルダーシートをカード挿入方向に対して直角方向、または同方向、またはその双方にカードシート連結部で２枚以上連結して蛇腹折りが出来るカードホルダーを提供する。
【００１３】
更に本発明は上記目的を達成させるため、（５）（１）乃至（４）のいずれかに記載されたカードホルダーにおいて、カードホルダーカバー部を前記カードホルダーシートと連結部を介して連結したカードホルダーを提供する。
【発明の効果】
【００１４】
上記により、本発明は以下のような効果が得られる。
１． １枚の長方形状のシート製材料を連結している構造なので、本発明自身がかさばることが無く、結果として、軽量で小さくなるものを提供出来る。
２． シート製材料は何枚でも複数枚連結出来る。
３． １枚のシートから作成して、畳むことだけで使用可能なので、コストを安く押さえることが可能になる。
４． １枚のシートに関わらず、カードを裏表２枚装着可能となる。
５． 蛇腹状に畳まれているシートを広げると、カードを一望することが出来るので、探しているカードを見つけるのが容易である。
【図面の簡単な説明】
【００１５】
【図１】本発明を広げたときの全体斜視図である。
【図２】本発明を畳む様子を示した全体斜視図である。
【図３】カード収納時を表から見た立面図である。
【図４】カード収納時を裏から見た立面図である。
【図５】カード収納時の本発明の断面図である。
【図６】本発明の連結方向を変えてゴムで留める場合の全体斜視図である。
【図７】本発明においてカードホルダーシートが十分に大きい時にカードを複数装着可能としたカードホルダーシートの全体斜視図である。
【図８】本発明のカード収納部を縦横に連結した時の全体斜視図である。
【発明を実施するための形態】
【００１６】
以下、本発明の実施の形態を図に基づいて説明する。
（実施例１）
【００１７】
図１に示すように、カードホルダーシート１はカード幅２０より長い幅を持ち、カードの挿入口となる第四の切り欠き部２を、カード挿入方向に一番近いシート上辺１８よりその対辺となるシート下辺１９方向内側に寄ったところに、挿入するカード幅よりやや広い長さに設け、第四の切り欠き２より下辺寄りにほぼ同様の形状の第一の切り欠き部３を設け、更に第一の切り欠き部３より下辺寄りで、カード幅２０よりややシート連結部６寄りの位置を一端とし、もう一方の端部をシート下辺１９よりシート上辺１８寄りで、カード中央線２１より左で、カード左端部を越えない位置に設けた第二の切り欠き部４、及びカード保持切り欠き部ｂ３より下辺寄りで、カード幅２０よりややシート連結部６寄りの位置を一端とし、もう一方の端部をシート下辺１９よりシート上辺１８寄りで、カード中央線２１より右で、カード右端部を越えない位置に設けた第三の切り欠き部５を持つ。第二の切り欠き部４と第三の切り欠き部５のシート下辺１９寄りの端部を結んだ線は概ねシート下辺１９に平行になるように設ける。
【００１８】
カードホルダーシート１はシート連結部６によって連結され、更に表表紙、幅が０以上のマチ、裏表紙が連結されているカードホルダーカバー部７を連結し、カードホルダー留め部８とカードホルダー留め受け部９を設けることで、図２に示すように、カードを畳んだ状態で安定して持つことが出来る。リング装着の穴１０を設ければ、キーホルダー状に下げることも可能になる。
【００１９】
図３に示すように、表側では第一の切り欠き部３から第一のカード１1を差し入れて、第二の切り欠き部４と第三の切り欠き部５に第一のカード１１のカード角部を挿入すると、カードホルダーシート１と切り欠き部に囲まれたカード押さえ部１６によって第一のカード１１が安定して保持される。
【００２０】
図４に示すように、裏側では、第四の切り欠き部２より第二のカード１２を挿入し、更に第一の切り欠き部３に挿入し、更に、第二のカード１２を左サイドカード押さえ部１３と右サイドカード押さえ部１４に第二のカード１２の角部を挿入することで、第四の切り欠き部２と第一の切り欠き部３によって形成された帯状カード押さえ部と左サイドカード押さえ部１３と右サイドカード押さえ部１４によって、第二のカード１２が安定して保持される。
【００２１】
図５に示すように、カードホルダーシート１は１枚のシートにも関わらず、第一のカード１１と第二のカード１２はカードホルダーシート１で仕切られている。その結果、第一のカード１１と第二のカード１２をそれぞれ取り出すときに、反対側のカードに影響を与えることが少ない。
【００２２】
図６は、カードホルダーシート１をカード挿入方向と同方向に連結し、カードホルダーカバー部７に、カードホルダー全体を留めるために、カードホルダー留めゴム１７を設けたカードホルダーである。
【００２３】
図７はカードホルダーシート１が十分に大きい時に、第一の切り欠き部３、第二の切り欠き部４、第三の切り欠き部５、第四の切り欠き部２をひとつの切り欠き群とすると、前記切り欠き群を複数個設けることが出来る。
【００２４】
図８はカードホルダーシート１をカード挿入方向と同方向、双方で連結して大きなシート状とすることも出来る。
【００２５】
本発明は、１枚のシートを切り出して作成することが可能である。
【００２６】
以上、本発明は、実施例に基いて説明したが、本発明はこれらの実施例に限定されるものではなく、例えば第一の切り欠きは波型状でもよく、シートの大きさや材質も、保持するカードに応じて最適なものを選択すればよく、要は本発明の趣旨を逸脱しない限り、どのようなものでも良い。
【符号の説明】
【００２７】
１  カードホルダーシート
２  第四の切り欠き部
３  第一の切り欠き部
４  第二の切り欠き部
５  第三の切り欠き部
６  シート連結部
７  カードホルダーカバー部
８  カードホルダー留め部
９  カードホルダー留め受け部
１０  リング装着のための穴
１１  第一のカード
１２  第二のカード
１３  左サイドカード押さえ部
１４  右サイドカード押さえ部
１５  帯状カード押さえ部
１６  切り欠き部に囲まれたカード押さえ部
１７  カードホルダー留めゴム
１８  シート上辺
１９  シート下辺
２０  カード幅
２1  カード中央線
【図１】
2014100907.tif 000003
【図２】
2014100907.tif 000004
【図３】
2014100907.tif 000005
【図４】
2014100907.tif 000006
【図５】
2014100907.tif 000007
【図６】
2014100907.tif 000008
【図７】
2014100907.tif 000009
【図８】
2014100907.tif 000010